(57)【要約】【課題】  本体ケース前面に形成された投写レンズ用開口部と、本体ケース前面の隣接面に形成された操作用開口部の両方に対して、埃や衝撃から投写レンズ部分を保護することができる投写型映像表示装置を提供する。【解決手段】  光源からの光を映像信号に基づき変調し、本体ケース前面１ａの投写レンズ用開口部３内から露出する投写レンズ２を介して投写することにより映像を表示する投写型映像表示装置において、投写レンズ２のズームやフォーカス等を調整するための操作部材（調整ダイヤル４）を本体ケース前面１ａの隣接面（上面１ｂ）に形成された操作用開口部５から露出させると共に、投写レンズ用開口部３と操作用開口部５とを開閉するスライドカバー７は、スライドホルダー９を介して本体ケース１ａにスライド自在に取付けられ設け、スライドカバー７とスライドホルダー９間でスライドカバー７を保持する保持機構を形成する。【選択図】        図５
2008003621.tif 000002
【特許請求の範囲】
【請求項１】
光源からの光を映像信号に基づき変調し、本体ケース前面に形成された投写レンズ用開口部内から露出する投写レンズを介して投写することにより映像を表示する投写型映像表示装置において、前記投写レンズのズームやフォーカス等を調整するために操作される操作部材を、前記投写レンズ用開口部とは独立し、本体ケース前面の隣接面に形成された操作用開口部内から露出させ、操作用開口部及び投写レンズ用開口部をスライド自在に開閉するスライドカバーは、スライドホルダーを介して本体ケースの内側にスライド自在に取付けられていると共に、操作用開口部と投写レンズ用開口部とを閉塞した状態にスライドカバーを保持する保持機構は、スライドカバーとスライドホルダーとの間で形成されていることを特徴とする投写型映像表示装置。
【請求項２】
前記操作用開口部と投写レンズ用開口部とを開放した状態にスライドカバーを保持する保持機構は、スライドカバーと本体ケースとの間で形成されていることを特徴とする請求項１記載の投写型映像表示装置。
【請求項３】
前記スライドカバーは、透明又は半透明部材から成ることを特徴とする請求項１または請求項２に記載の投写型映像表示装置。
【発明の詳細な説明】
【技術分野】
【０００１】
本願発明は、光源からの光を映像信号に基づき変調して、本体ケース前面の開口部から露出する投写レンズを介して投写することにより映像を表示する液晶プロジェクタ等の投写型映像表示装置に関するものである。
【背景技術】
【０００２】
この種の投写型映像表示装置においては、映像投写を行わない時に、本体ケース前面の開口部から露出している投写レンズのガラス面への埃などの付着や、隙間等からの侵入により、投写性能に悪影響を与える。また、特に投写レンズ部分は衝撃に弱いので、装置移動時に何かにぶつけるなどの衝撃を与えて損傷する場合がある。
【０００３】
そのため、従来より、投写レンズの先端にキャップ式の蓋を嵌め込んだり、投写レンズが露出する開口部を横にスライドする蓋で開閉できるようにしている（例えば、特許文献１参照）。
【０００４】
また、特許文献２には、投写レンズが設けられた本体ケース前面側を着脱式のカバー又は開閉自在のカバーあるいは摺動自在のスライド式のカバーで開閉できるようにしたものが開示されている。
【特許文献１】特開平１１−６４９７１号公報（G03B  21/00,G02F    1/13）
【特許文献２】特開２００２−３４４８４８号公報(H04N    5/74,G03B  21/00)
【発明の開示】
【発明が解決しようとする課題】
【０００５】
ところで、投写レンズには一般にズームやフォーカス等を調整する機能があり、電動で調整可能なものと、低価格機種などで低コスト化のため手動で調整するものがある。この手動で調整する機種の場合、調整用のダイヤル等の操作部材を操作性などを考慮して本体ケース前面の隣接面，例えは本体ケース上面に開口部を設けて露出させことが好ましい。
【０００６】
しかしながら、上記のように構成すると、前述した特許文献１，２等に開示された蓋やカバーでは、本体ケース上面等に形成された操作用開口部を閉鎖することができないため、この操作用開口部からの埃や衝撃に対して投写レンズ部分を保護することができなくなる。
【０００７】
そこで、本願発明はこのような課題を解決するためになされたものであり、本体ケース前面に形成された投写レンズ用開口部と、本体ケース前面の隣接面に形成された操作用開口部の両方に対して、埃や衝撃から投写レンズ部分を保護することができる投写型映像表示装置を提供することを目的とするものである。
【課題を解決するための手段】
【０００８】
上記課題を解決するための第１の手段は、光源からの光を映像信号に基づき変調し、本体ケース前面に形成された投写レンズ用開口部内から露出する投写レンズを介して投写することにより映像を表示する投写型映像表示装置において、前記投写レンズのズームやフォーカス等を調整するために操作される操作部材を、前記投写レンズ用開口部とは独立し、本体ケース前面の隣接面に形成された操作用開口部内から露出させ、操作用開口部及び投写レンズ用開口部をスライド自在に開閉するスライドカバーは、スライドホルダーを介して本体ケースの内側にスライド自在に取付けられていると共に、操作用開口部と投写レンズ用開口部とを閉塞した状態にスライドカバーを保持する保持機構は、スライドカバーとスライドホルダーとの間で形成されていることを特徴とするものである。
【０００９】
上記課題を解決するための第１の手段において、前記操作用開口部と投写レンズ用開口部とを開放した状態にスライドカバーを保持する保持機構は、スライドカバーと本体ケースとの間で形成されていてもよい。
【００１０】
上記課題を解決するための第１の手段において、前記スライドカバーは、透明又は半透明部材から構成されていてもよい。
【発明の効果】
【００１１】
本願発明の請求項１の記載によれば、本体ケース前面に形成された投写レンズ用開口部と本体ケース前面の隣接面に形成された操作用開口部とを開閉するスライドカバーを備えたことにより、映像投写を行う時は、スライドカバーにより投写レンズ用開口部と操作用開口部を開放することで、投写レンズからの映像投写が可能になると共に操作部材を操作しての投写レンズのズームやフォーカス等の調整が可能となる。また、映像投写を行わない時は、スライドカバーにより投写レンズ用開口部と操作用開口部を閉鎖することにより、投写レンズ用開口部と操作用開口部の両方に対して、埃や衝撃から投写レンズ部分を保護することができるようになる。また、スライドカバーは、投写レンズ用開口部と操作用開口部を閉塞した状態に保持機構により保持することができるため、不意にスライドカバーが開いてしまうことにより、埃が投写レンズ用開口部や操作用開口部内に侵入することを防止することができる等の効果を奏する。
【００１２】
本願発明の請求項２の記載によれば、投写レンズ用開口部と操作用開口部を開放した状態に保持機構により保持することができるため、不意にスライドカバーが閉じてしまうことにより、投写レンズからの投写をスライドカバーが妨げることを防止することができる等の効果を奏する。
【００１３】
本願発明の請求項３の記載によれは、スライドカバーを透明又は半透明部材で構成することにより、投写レンズ用開口部をスライドカバーで閉じた状態でも光源の点灯／消灯状態を容易に確認することができるので、光源の消し忘れ等を防ぐことができる。また、スライドカバーを透明部材で構成すれば、投写レンズ用開口部をスライドカバーで閉じた状態でも映像投写が可能となる。このように構成する利点としては、この種の投写型映像表示装置は同じ機種でも用途等に応じて、床や机上に置いて使用される他、天井から吊り下げた状態に固定設置しても使用され、この天吊りの場合にはスライドカバーの開閉操作が困難となるが、投写レンズ用開口部をスライドカバーで閉じた状態でも映像投写が可能であれば、スライドカバーの開閉操作が不要となって利便性が向上する等の効果を奏する。
【発明を実施するための最良の形態】
【００１４】
（第１実施形態）
以下、本願発明の第１実施形態を図１乃至図４を参照して詳細に説明する。
【００１５】
図１は、本願発明に係る投写型映像表示装置としての液晶プロジェクタの一実施形態を斜め前上方から見た斜視図で、同図（ａ）は開口部が閉じた状態を示し、（ｂ）は開口部が開いた状態を示している。また、図２の（ａ）と（ｂ）は平面図、（ｃ）と（ｄ）は正面図、（ｅ）は側面図で、（ａ）と（ｃ）は開口部が閉じた状態を示し、（ｂ）と（ｄ）は開口部が開いた状態を示している。図３は上記図２のＡ−Ａ’断面〜Ｅ−Ｅ’断面を示している。
【００１６】
この液晶プロジェクタの本体ケース１には、前面１ａの左寄りに投写レンズ２を露出させるための投写レンズ用開口部３が形成されていると共に、前面１ａに隣接する上面１ｂには、投写レンズ用開口部３に対応して、投写レンズ２のズームやフォーカス等を調整するための操作部材である調整ダイヤル４を露出させるための操作用開口部５が形成されている。
【００１７】
上記操作用開口部５は、横方向に回動操作される調整ダイヤル４に対応して横長矩形状に形成されている。なお、調整ダイヤル４と操作用開口部５との位置関係は、図３（ｃ）〜（ｅ）に示すように、調整ダイヤル４の最上部と操作用開口部５との間に下述するスライドカバー７の上カバー部７ｂが通る間隔を有するように設定されている。このように調整ダイヤル４を操作用開口部５より低い位置に設けても、調整ダイヤル４は操作用開口部５を介して人差し指等の指先で操作されるので十分に操作可能である。
【００１８】
上記投写レンズ用開口部３と操作用開口部５は、本体ケース１の内面側に配置されて前カバー部７ａと上カバー部７ｂが一体に形成されたスライドカバー７等から成る開閉機構によって、一操作で同時に開閉することができるように構成されている。
【００１９】
図４を用いて具体的に説明する。なお、図４（ａ）は本体ケース１の底板１ｃを外して見た要部分解斜視図、（ｂ）はスライドカバー７が開いた状態を示す要部斜視図、（ｃ）はスライドカバー７が閉じた状態を示す要部斜視図である。この図４に示すように、開閉機構６には、本体ケース前面１ａの投写レンズ用開口部３と本体ケース上面１ｂの操作用開口部５とを開閉可能な断面逆Ｌ字状に形成されたスライドカバー７が備えられている。
【００２０】
上記スライドカバー７は、透明又は半透明部材から構成されると共に、操作用開口部５を開閉する上カバー部７ｂ側の前後に一対のガイド長孔７ｃ，７ｃが形成され、このガイド長孔７ｃ，７ｃを通して操作用開口部５の一側端に一対のガイドネジ８，８で摺動可能にネジ止めされて、横方向にスライド自在に構成されている。
【００２１】
また、図１，図２に示すように、操作用開口部５を開閉する上カバー部７ｂの上面には、スライド方向の一端側に操作用開口部５内に突出してスライド操作用摘みになると共にスライド範囲を規定する凸部７ｄが形成されている。
【００２２】
なお、ここでは一例として、スライドカバー７の上カバー部７ｂ側にガイド長孔７ｃを形成し、操作用開口部５の一側端にガイドネジ８を設けたが、スライドカバー７の前カバー部７ａ側にガイド長孔を形成し、投写レンズ用開口部３の一側端にガイドネジを設けても良い。また、スライドカバー７の上下端縁をガイドするガイド溝を形成しても良い。
【００２３】
以上の構成において、映像投写を行う時は、先ず、図１（ａ）に示すようにスライドカバー７で投写レンズ用開口部３と操作用開口部５が閉じた状態から、操作用開口部５を閉じている上カバー部７ｂに形成された凸部７ｄを人差し指等の指先で反対側に操作することにより、スライドカバー７を横方向にスライドさせて、図１（ｂ）に示すように投写レンズ用開口部３と操作用開口部５を開放する。
【００２４】
そして、液晶プロジェクタ本体の電源を投入し、図示しない超高圧水銀ランプ等から成る光源を点灯することにより、光源からの光は、図示しない光学系を介してＲＧＢ各色光に分光され、分光されたＲＧＢ各色光は対応する３枚の液晶パネルを介して映像信号に基づき変調され、変調されたＲＧＢ各色光が色合成プリズム等によって合成されて、投写レンズ２からスクリーンに映像が拡大投写される。さらに、操作用開口部５も開放されているので、そこから露出する調整ダイヤル４を指先で操作して投写レンズ２のズームやフォーカス等を調整する。
【００２５】
一方、映像投写を行わない時は、光源を消灯して、図１（ｂ）に示すように投写レンズ用開口部３と操作用開口部５が開いた状態から、操作用開口部５の上カバー部７ｂに形成された凸部７ｄを指先で反対側に操作することにより、スライドカバー７を横方向にスライドさせて、図１（ａ）に示すように投写レンズ用開口部３と操作用開口部５を閉鎖する。このようにして、投写レンズ用開口部３と操作用開口部５を閉鎖することにより、投写レンズ用開口部３と操作用開口部５の両方に対して、埃や衝撃から投写レンズ部分を保護することができるようになる。
【００２６】
また、本実施形態によれば、操作用開口部５を本体ケース上面１ｂに形成することで操作性等が向上する一方、黒板を用いる教室などで使用する場合は特にチョークの粉が本体ケース上面１ｂに形成された操作用開口部５から侵入して問題となるが、この問題も上述した構成のスライドカバー７によって解決されるので、このような使用形態で特に大きな効果を発揮することができる。
【００２７】
また、本体ケース上面１ｂの操作用開口部５は横方向に操作される調整ダイヤル５に対応して形成され、スライドカバー７は、本体ケース前面１ａの投写レンズ用開口部３と本体ケース上面１ｂの操作用開口部５とを開閉可能な断面逆Ｌ字状に形成されて横方向にスライド自在に構成されているので、簡単な構成で、しかも調整ダイヤル４の操作と同様な操作でスライドカバー７を開閉することができ、操作も極めて簡単なものとなる。
【００２８】
また、スライドカバー７を透明又は半透明部材で構成することにより、投写レンズ用開口部３をスライドカバー７で閉じた状態でも光源の点灯／消灯状態を容易に確認することができるので、光源の消し忘れ等を確実に防ぐことができる。
【００２９】
さらに、スライドカバー７を透明部材で構成すれば、投写レンズ用開口部３をスライドカバー７で閉じた状態でも映像投写が可能となる。このように構成する利点としては、こ
の種の投写型映像表示装置は同じ機種でも用途等に応じて、床や机上に置いて使用される他、天井から吊り下げた状態に固定設置しても使用され、この天吊りの場合にはスライドカバー７の開閉操作が困難となるが、投写レンズ用開口部３をスライドカバー７で閉じた状態でも映像投写が可能であれば、スライドカバー７の開閉操作が不要となって利便性が向上する。
【００３０】
なお、スライドカバー７を閉じた状態では、ズームやフォーカス等の調整ダイヤル４を操作することができなくなるが、天吊りの場合は固定設置であるので、設置時に調整するので問題は生じない。
【００３１】
また、スライドカバー７を閉じた状態で映像投写すると、高輝度光によってスライドカバー７が高温になって歪みが生じると投写映像にも歪みが生じてしまうので、高温になっても歪み等の変形が生じない耐熱ガラス等の透明部材を使用することが肝要である。
【００３２】
さらに、本実施形態では、投写レンズ用開口部３と操作用開口部５が独立して形成されているので、連通して形成されている場合に比べて本体ケース１の強度向上を図ることができる。
【００３３】
なお、上記実施形態では、手動による開閉機構６について説明したが、モータ等を用いた電動による開閉機構や、光源からの高輝度光による温度上昇に着目して、形状記憶合金を用いて光源消灯時の常温の時は開口部を閉鎖し、光源点灯時（映像投写時）の高温時には開口部を開放するように構成することも考えられる。
【００３４】
また、上記実施形態では、操作用開口部５を本体ケース上面１ｂに形成したが、本体ケース前面１ａに隣接する面である本体ケース底面や本体ケース側面に形成することも可能である。本体ケース底面の場合は上記実施形態と逆になり、本体ケース側面の場合は、本体ケースの高さが高く、上下にスライド可能であれば上記実施形態とほぼ同様なスライドカバーを用いることができるが、本体ケースの高さが低く、上下にスライドできない場合は、可撓性を有するスライドカバーや弧状のスライドカバーを用いることで実現できる。（第２実施形態）
図５乃至図９は、本願発明の第２実施形態を示している。尚、第１実施形態と同一部品については同一符号を付して説明を省略する。
【００３５】
第１実施形態では、スライドカバー７を単にスライドさせるだけの構成であったが、第２実施形態では、スライドカバー７０が投写レンズ用開口部３と操作用開口部５を開放した状態と、閉塞した状態とで夫々保持機構により保持させる構成になっている。
【００３６】
図５に示すように、略Ｌ字板から構成されたスライドカバー７０は、同じく略Ｌ字板から構成されたスライドホルダー９に覆いかぶさるような状態で、スライドホルダー９に対してスライド自在に構成されている。
【００３７】
図６に示すようにスライドカバー７０には、前カバー部７０ａのスライド方向に沿って略コ字状に開口する溝部１０と、溝部１０に連通すると共に、前カバー部７０ａのスライド方向の一方側で、且つ、溝部１０の外方へ直交する方向へ突出する弾性を有する爪部１１と、上カバー部７０ｂのスライド方向の他方側に略コ字状に開口した凹部１２と、凹部１２の相対向する一方の壁から他方の壁に向けて突出する弾性を有する係合爪部１３とが形成されている。
【００３８】
前カバー部７０ａのスライドホルダー９側には、スライドホルダー９側に突出する複数の突部１４と、前カバー７０ａのスライドホルダー９に対向する側には、スライドホルダ
ー９に対向する側に突出する複数の突出部１５が形成されている。
【００３９】
また、スライドホルダー９には、スライドカバー７０の溝部１０とスライド自在に係合する突条１６と、スライドカバー７０の爪部１１に着脱自在に係合し弾性を有する係止部１７と、スライドカバー７０の前カバー７０ａ側へスライド方向に沿って突出する突条部１８と、本体ケース１に形成された係合ボス１９に図示しない螺子により取付けられる螺子取付部２０が形成されている。
【００４０】
図５に示すように、スライドホルダー９の突条１６にスライドカバー７０の溝部１０を係合させて略一体化し、図８に示すように、本体ケース１の係合ボス１９にスライドホルダー９の螺子取付部２０を図示しない螺子により取付ける。そうすることにより、スライドカバー７０はスライドホルダー９を介して本体ケース１にスライド自在に取付けられる。
【００４１】
スライドカバー７０は、スライドホルダー９の突条１６がガイドとなってスライドホルダー９に対してスライド自在に摺動する。スライドホルダー９には、スライドカバー７０側のスライド方向に沿って突出する突条部１８が形成され、また、スライドカバー７０には、スライドホルダー９側に突出する複数の突部１４が形成されているため、スライドカバー７０は、スライドホルダー９の全面に接触することはなく部分的に接触することになる。また、スライドカバー７０の本体ケース１側には、複数の突出部１５が形成されているため、スラードカバー７０は本体ケース１の全面で接触することはない。従って、スライドカバー７０の円滑なスライド操作を行なうことができるようになっている。
【００４２】
図８に示すように、スライドカバー７０が、投写レンズ用開口部３と操作用開口部５とを閉塞した状態にすると、図５に示すように、スライドカバー７０の爪部１１が、スライドホルダー９の係止部１７に係合するため、スライドカバー７０が投写レンズ用開口部３と操作用明後部５とを閉塞した状態に保持される。従って、不意にスライドカバー７０が開いてしまうことにより、埃が投写レンズ用開口部３や操作用開口部５内に侵入することを防止することができる。
【００４３】
また、図９に示すように、スライドカバー７０が、投写レンズ用開口部３と操作用明後部５とを開放した状態にすると、スライドカバー７０の係合爪部１３が本体ケース１に形成された係止ボス２１に係合してこの状態が保持される。従って、不意にスライドカバー７０が閉じてしまうことにより、投写レンズからの投写をスライドカバー７０が妨げることを防止することができる。
【００４４】
また、上述した第２実施形態では、スライドカバー７０に、スライドホルダー９側に突出する複数の突部１４を形成したが、スライドカバー７０に突部１４をなくした構成にしてもよい。この構成にしても、スライドホルダー９の突条１６によりスライドカバー７０は、スライドホルダー９の全面に接触することはなく部分的に接触することになる。
【００４５】
尚、上記第１実施形態及び第２実施形態では、投写型映像表示装置として液晶パネルを用いた液晶プロジェクタを示したが、他の映像光生成系を備える投写型映像表示装置においても本願発明を適用することができる。例えば、ＤＬＰ（Digital Light Processing；テキサス・インスツルメンツ（TI）社の登録商標）方式のプロジェクタにおいても本願発明を適用することができる。
【図面の簡単な説明】
【００４６】
【図１】本願発明に係る投写型映像表示装置としての液晶プロジェクタの第１実施形態を斜め前上方から見た斜視図で、（ａ）は開口部が閉じた状態、（ｂ）は開口部が開いた状態を示す。
【図２】上記液晶プロジェクタの平面図（ａ），（ｂ）と正面図（ｃ），（ｄ）と側面図（ｅ）で、（ａ）と（ｃ）は開口部が閉じた状態、（ｂ）と（ｄ）は開口部が開いた状態を示す。
【図３】上記図２のＡ−Ａ’断面〜Ｅ−Ｅ’断面を示し、（ａ）は図２（ｃ）のＡ−Ａ’断面図、（ｂ）は図２（ｄ）のＥ−Ｅ’断面図、（ｃ）は図２（ａ）のＢ−Ｂ’断面図、（ｄ）は図２（ｂ）のＤ−Ｄ’断面図、（ｅ）は図２（ｃ）のＣ−Ｃ’断面図である。
【図４】上記実施形態の要部を示す図で、（ａ）は本体ケースの底板を外して見た要部分解斜視図、（ｂ）はスライドカバーが開いた状態を示す要部斜視図、（ｃ）はスライドカバーが閉じた状態を示す要部斜視図である。
【図５】本願発明に係る投写型映像表示装置としての液晶プロジェクタの第２実施形態のスライドカバーとスライドホルダーを組み立てた状態を示す斜視図である。
【図６】上記液晶プロジェクタのスライドカバーとスライドホルダーの分解斜視図である。
【図７】上記液晶プロジェクタのスライドカバーを裏面側から見た斜視図である。
【図８】上記液晶プロジェクタの投写レンズ用開口部と操作用開口部を閉塞した状態を本体ケース裏面側から見た斜視図である。
【図９】上記液晶プロジェクタの投写レンズ用開口部と操作用開口部を開放した状態を本体ケース裏面側から見た拡大斜視図である。
【図１０】上記液晶プロジェクタの他の形態のスライドカバーを裏面側から見た斜視図である。
【符号の説明】
【００４７】
１  本体ケース
１ａ  前面
１ｂ  上面
１ｃ  底板
２  投写レンズ
３  投写レンズ用開口部
４  調整ダイヤル（操作部材）
５  操作用開口部
６  開閉機構
７  スライドカバー
７ａ  前カバー部
７ｂ  上カバー部
７ｃ  ガイド長孔
７ｄ  凸部
８  ガイドネジ 
【図１】
2008003621.tif 000003
【図２】
2008003621.tif 000004
【図３】
2008003621.tif 000005
【図４】
2008003621.tif 000006
【図５】
2008003621.tif 000007
【図６】
2008003621.tif 000008
【図７】
2008003621.tif 000009
【図８】
2008003621.tif 000010
【図９】
2008003621.tif 000011
【図１０】
2008003621.tif 000012
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
光源からの光を映像信号に基づき変調し、本体ケース前面から露出する投写レンズを介して投写することにより映像を表示する投写型映像表示装置において、前記投写レンズのズームやフォーカス等を調整するために操作される操作部材を投写レンズの上方に配置し、投写レンズ及び操作部材を開閉自在に覆うスライドカバーは、本体ケースの内側にスライドホルダーによりスライド自在に保持されていると共に、スライドカバーが投写レンズ及び操作部材を覆った状態に保持する保持機構は、スライドカバーとスライドホルダー間で構成されていることを特徴とする投写型映像表示装置。
【請求項２】
投写レンズ及び操作部材を本体ケースから露出させた状態にスライドカバーを保持する保持機構は、スライドカバーと本体ケース間で構成されていることを特徴とする請求項１記載の投写型映像表示装置。
【請求項３】
前記スライドカバーは、透明又は半透明部材から成ることを特徴とする請求項１または請求項２の何れか１項に記載の投写型映像表示装置。
【手続補正２】
【補正対象書類名】明細書
【補正対象項目名】０００８
【補正方法】変更
【補正の内容】
【０００８】
上記課題を解決するための手段は、光源からの光を映像信号に基づき変調し、本体ケース前面から露出する投写レンズを介して投写することにより映像を表示する投写型映像表示装置において、前記投写レンズのズームやフォーカス等を調整するために操作される操作部材を投写レンズの上方に配置し、投写レンズ及び操作部材を開閉自在に覆うスライドカバーは、本体ケースの内側にスライドホルダーによりスライド自在に保持されていると共に、スライドカバーが投写レンズ及び操作部材を覆った状態に保持する保持機構は、スライドカバーとスライドホルダー間で構成されていることを特徴とする。
【手続補正３】
【補正対象書類名】明細書
【補正対象項目名】０００９
【補正方法】変更
【補正の内容】
【０００９】
上記課題を解決するための手段において、投写レンズ及び操作部材を本体ケースから露出させた状態にスライドカバーを保持する保持機構は、スライドカバーと本体ケース間で構成されていてもよい。
【手続補正４】
【補正対象書類名】明細書
【補正対象項目名】００１１
【補正方法】変更
【補正の内容】
【００１１】
本願発明の請求項１の記載によれば、映像投写を行う時は、スライドカバーを開放することにより、投写レンズからの映像投写が可能になると共に、操作部材を操作して投写レンズのズームやフォーカス等の調整が可能になる。また、映像投写を行わない時は、スライドカバーを閉じることにより、埃や衝撃から投写レンズ及び操作部材を保護することができるようになる。また、スライドカバーを閉じた状態に保持機構により保持させることができるため、不意にスライドカバーが開いてしまうことにより、埃が投写レンズ及び操作部材に付着することを防止することができる等の効果を奏する。
【手続補正５】
【補正対象書類名】明細書
【補正対象項目名】００１２
【補正方法】変更
【補正の内容】
【００１２】
本願発明の請求項２の構成によれば、投写レンズ及び操作部材が露出した状態にスライドカバーを保持機構により保持させることができるため、不意にスライドカバーが閉じてしまうことにより、投写レンズからの投写をスライドカバーが妨げることを防止することができる等の効果を奏する。